(57)【要約】      （修正有）【課題】外部から内部の状況を目視できるようにした断熱パックを提供する。【解決手段】物品としての例えば輸液パックＹＰを収納する断熱パックＤＰが、断熱性シート１を利用して形成される。断熱性シート１の一部に、外部から内部を目視可能とするための透明シート部２が形成されている。断熱パックＤＰ内の状況、例えば輸液パックＹＰ内の輸液の残量を、透明シート部２を通して外部から目視によって容易に確認することができる。透明シート部２を、内部に密閉された空気層を有する構造としておくのが、断熱性向上の上で好ましいものとなる。【選択図】図１
2018039552.tif 000002
【特許請求の範囲】
【請求項１】
断熱性シートによって内部に物品が収納される収納部を形成してなる断熱パックであって、
前記断熱性シートの一部に、外部から内部を目視可能とするための透明シート部が形成されている、
ことを特徴とする断熱パック。
【請求項２】
請求項１において、
前記透明シート部が、内側の透明シートと外側の透明シートとによる内外２重構造として構成され、
前記内外の透明シートの間に形成される空間が、空気が密閉状態でもって充填された空気層とされている、
ことを特徴とする断熱パック。
【請求項３】
請求項１または請求項２において、
前記断熱性シートが、内側シート層と、外側シート層と、該内側シート層と該外側シート層との間に介在された断熱層と、を有し、
前記内側シート層および前記外側シート層には、前記透明シート部に対応した位置において開口部が形成され、
前記開口部が、前記透明シート部によって閉塞されている、
ことを特徴とする断熱パック。
【請求項４】
請求項３において、
前記断熱層が、外部との間で空気の流通が阻止された密閉層とされている、ことを特徴とする断熱パック。
【請求項５】
請求項３または請求項４において、
前記断熱層内に、前記透明シート部を除いて、該断熱層が部分的に潰れ変形するのを防止するための断熱材からなる充填材が充填されている、ことを特徴とする断熱パック。
【請求項６】
請求項５において、
前記充填材が、発泡材とされている、ことを特徴とする断熱パック。
【請求項７】
請求項１ないし請求項６のいずれか１項において、
医療に用いられる輸液パックの収納用とされている、ことを特徴とする断熱パック。
【請求項８】
請求項７において、
前記断熱性シートによって、前記輸液パックの周囲を取り巻くように筒状とされた本体部が形成され、
前記本体部の一端側が、前記輸液パックの出し入れ用となる出入口部とされ、
前記本体部の他端側が、前記輸液パックを吊り下げるための吊り下げ部が挿通される吊り下げ用開口部とされ、
前記透明シート部が、前記本体部の一端側から他端側に向けて細長く伸びる形状とされている、
ことを特徴とする断熱パック。
【請求項９】
請求項８において、
前記本体部の前記他端部側は、その左右各端部が閉塞された閉塞部とされて、その左右中央部のみが前記吊り下げ用開口部として開口され、
前記本体部の一端側に、前記出入口部を開閉するための係止部が形成されている、
ことを特徴とする断熱パック。
【請求項１０】
請求項８または請求項９において、
前記本体部の内面または外面の少なくとも一方に、前記透明シート部以外の部分において、保温剤を収納するためのポケット部が形成されている、ことを特徴とする断熱パック。
【請求項１１】
請求項１ないし請求項６のいずれか１項において、
前記断熱性シートによって、上方が開口された箱状の本体容器部と、該本体容器部の上方開口を開閉する蓋部と、が形成され、
前記透明シート部が、前記蓋部に形成されている、
ことを特徴とする断熱パック。
【発明の詳細な説明】
【技術分野】
【０００１】
本発明は、物品を収納してその温度変化を抑制する断熱パックに関するものである。
【背景技術】
【０００２】
断熱パックは、缶類やビン類等の飲食物の温度変化抑制や、医療用の輸液パックの温度低下抑制等、種々の分野で広く利用されている。断熱パックは、通常、断熱性シートを利用して、用途に応じた容器（袋）形状に形成される。断熱性シートとして、内側シートと外側シートとこの間に介在された断熱層とを有して、断熱層内に軟質の発泡材を充填したものもある。断熱性シートとしては、断熱性向上や可撓性確保の観点から、例えば発泡材を利用したものが開示されている（特許文献１参照）。
【先行技術文献】
【特許文献】
【０００３】
【特許文献１】特開２０１０−１７３２６３号公報
【発明の概要】
【発明が解決しようとする課題】
【０００４】
ところで、従来の断熱性シートは、断熱性確保の観点から非透明であるのが通常であり、よって、非透明な断熱性シートを用いて断熱パックを構成した従来のものでは、外部から内部の状況が目視できないものとなっていた。このため、断熱パックを、例えば内部に物品を収納する保温用や保冷用の容器として構成した場合は、内部にある物品の数や種類、状態等を外部から確認するために一々容器を開け閉めしなければならず、断熱性が大きく阻害されてしまうことになる（物品の急速な温度上昇あるいは温度低下）。また、例えば医療用として用いられる輸液パックにおいて、予め輸液を収容した状態で輸液パックを加温しておくことがある。このとき、輸液の温度低下防止のために、加温された輸液パックを断熱パックでもってほぼ全体的に覆うようにした場合には、輸液の残量を確認するために、断熱パックを所定部分でもって開いて輸液量を確認する必要があり、この場合も断熱性をかなり阻害してしまうことになる（輸液の急速な温度低下）。
【０００５】
本発明は以上のような事情を勘案してなされたもので、その目的は、断熱性を阻害することなく外部から内部の状況を目視できるようにした断熱パックを提供することにある。
【課題を解決するための手段】
【０００６】
前記目的を達成するため、本発明にあっては次のような解決手法を採択してある。すなわち、請求項１に記載のように、
断熱性シートによって内部に物品が収納される収納部を形成してなる断熱パックであって、
前記断熱性シートの一部に、外部から内部を目視可能とするための透明シート部が形成されている、
ようにしてある。上記解決手法によれば、断熱パック内の状況を、透明シート部を通して外部から目視によって容易に確認することができる。このため、内部状況の確認のために断熱パックの一部を開く等のことを行う必要がなくなり、断熱パックの不要な操作による温度変化抑制の効果を向上させることができる。
【０００７】
前記透明シート部が、内側の透明シートと外側の透明シートとによる内外２重構造として構成され、
前記内外の透明シートの間に形成される空間が、空気が密閉状態でもって充填された空気層とされている、
ようにしてある（請求項２対応）。この場合、空気層の断熱性が極めて高いことから、透明シート部の断熱性を十分に高めて、温度変化の抑制をより効果的に行うことができる。
【０００８】
前記断熱性シートが、内側シート層と、外側シート層と、該内側シート層と該外側シート層との間に介在された断熱層と、を有し、
前記内側シート層および前記外側シート層には、前記透明シート部に対応した位置において開口部が形成され、
前記開口部が、前記透明シート部によって閉塞されている、
ようにしてある（請求項３対応）。この場合、断熱性シートとして断熱性の高い構造のものが提供される。また、断熱性シートと透明シート部との具体的な結合構造が提供される。
【０００９】
前記断熱層が、外部との間で空気の流通が阻止された密閉層とされている、ようにしてある（請求項４対応）。この場合、断熱性シートそのものの断熱性をより十分に高めることができる。
【００１０】
前記断熱層内に、前記透明シート部を除いて、該断熱層が部分的に潰れ変形するのを防止するための断熱材からなる充填材が充填されている、ようにしてある（請求項５対応）。この場合、潰れ変形した部位は断熱性が低下してしまうことになるが、この部分的な潰れ変形を防止して、断熱性を十分に確保する上で好ましいものとなる。
【００１１】
前記充填材が、発泡材とされている、ようにしてある（請求項６対応）。この場合、潰れ変形防止と断熱性確保とを共に高い次元で満足させることができる。
【００１２】
医療に用いられる輸液パックの収納用とされている、ようにしてある（請求項７対応）。この場合、輸液の温度低下を抑制して、輸液供給による患者の体温低下を抑制する上で好ましいものとなる。
【００１３】
前記断熱性シートによって、前記輸液パックの周囲を取り巻くように筒状とされた本体部が形成され、
前記本体部の一端側が、前記輸液パックの出し入れ用となる出入口部とされ、
前記本体部の他端側が、前記輸液パックを吊り下げるための吊り下げ部が挿通される吊り下げ用開口部とされ、
前記透明シート部が、前記本体部の一端側から他端側に向けて細長く伸びる形状とされている、
ようにしてある（請求項８対応）。この場合、輸液パック用として使用して好適な断熱パックの構造が提供される。特に、輸液パックを吊り下げて使用する状態で、透明シート部が上下方向に長く伸びて、輸液パック内の輸液量（の変化）を確認する上で好ましいものとなる。
【００１４】
前記本体部の前記他端部側は、その左右各端部が閉塞された閉塞部とされて、その左右中央部のみが前記吊り下げ用開口部として開口され、
前記本体部の一端側に、前記出入口部を開閉するための係止部が形成されている、
ようにしてある（請求項９対応）。この場合、輸液パックを収納した状態で、断熱パックにより輸液パックのほぼ全体を覆って、輸液の温度低下を抑制する上で好ましいものとなる。また、輸液パックを断熱パック内に出し入れする作業も容易となる。
【００１５】
前記本体部の内面または外面の少なくとも一方に、前記透明シート部以外の部分において、保温剤を収納するためのポケット部が形成されている、ようにしてある（請求項１０対応）。この場合、加温剤（発熱剤）をポケット部に入れておくことにより、断熱パック内に収納された物品の温度低下をより効果的に抑制することができる。逆に、冷却剤をポケット部に入れておくことにより、断熱パック内に収納された物品の温度上昇をより効果的に抑制することができる。
【００１６】
前記断熱性シートによって、上方が開口された箱状の本体容器部と、該本体容器部の上方開口を開閉する蓋部と、が形成され、
前記透明シート部が、前記蓋部に形成されている、
ようにしてある（請求項１１対応）。この場合、蓋部を閉じた状態で、透明シート部を通して本体容器部内に収納されている物品の種類や数等を外部から容易に目視によって確認することができる。
【発明の効果】
【００１７】
本発明によれば、不要な操作によって断熱性を阻害することなく、透明シート部を通して、断熱パック内の状況を目視によって外部から確認することができる。
【図面の簡単な説明】
【００１８】
【図１】本発明を輸液パックの収納用として適用した場合の例を示す斜視図。
【図２】図１に示す断熱パック内に輸液パックを収納した状態を示す正面図。
【図３】図１に示す断熱パックの正面図。
【図４】図５の裏面図。
【図５】透明シート部の構造を示す平面図。
【図６】図３のＸ６−Ｘ６線相当断面図。
【図７】断熱性シートの一例を示す側面断面図。
【図８】断熱性シー同士の接合例を示す側面断面図。
【図９】断熱性シートと透明シート部との接合部分を示す側面断面図。
【図１０】開閉式の箱状とされた断熱パックの例を示す斜視図。
【図１１】本発明による断熱パックの実験結果を示す図。
【図１２】保冷箱を開封する頻度と内容物の温度上昇との関係を測定した実験結果を示す図。
【発明を実施するための形態】
【００１９】
図１〜図４において、本発明による断熱パックが符号ＤＰで示される。この断熱パックＤＰは、実施形態では医療用の輸液パックＹＰ用としたものとされて、輸液パック内に収容された輸液の温度低下を抑制するためのものとなっている。
【００２０】
断熱パックＤＰは、後述する断熱性シート１によって、偏平な筒状に形成された本体部１１を有する。本外部１１内の空間となる収納部１１ａの容積は、例えば２０００ml用の輸液パックＹＰを収納できる大きさとされている。
【００２１】
本体部１１の一端部側は、そのまま大きく開放された状態とされて、輸液パックＹＰを出し入れするための出入口部１１ｂとされている。本体部１１の一端部側の内面には、出入口部１１ｂを開閉するための係止部としての面ファスナ１２が左右２組取付けられている。
【００２２】
本体部１１の他端部側は、その左右側端部が閉じられた閉塞部１１ｃとされ、その左右方向中央部のみが開いた中央開口部１１ｄとされている。
【００２３】
本体部１１の側面には、後述する透明シート部２が形成されている。透明シート部２は、本体部１１の一端部側から他端部側に向けて細長く伸びる形状とされている。この透明シート部２を外部から目視することにより、本体部１１の内部状況、より具体的には本体部１１（の収納部１１ａ）内に収納された輸液パックＹＰ内の輸液残量を、外部から目視によって確認できるようになっている。勿論、本体部１１を構成する断熱性シート１のうち透明シート部２に対応した位置に開口部が形成されて、この開口部を閉塞するようにして透明シート部２が断熱性シート１に接合（一体化）されている。
【００２４】
輸液パックＹＰを使用するに際しては、断熱パックＤＰの本体部１１の出入口部１１ｂを通して、輸液パックＹＰが断熱パックＤＰの本体部１１（の収納部１１ｂ）内に収納される。この収納の前にあらかじめ、輸液パックＹＰは例えば、湯煎等の公知の加温方法によって人間の体温程度の温度にまで加温された状態とされる。
【００２５】
断熱パックＤＰに輸液パックＹＰを収納した状態では、輸液パックＹＰの上部に形成される吊り下げ用の係合部５１が、断熱パックＤＰの本体部１１の中央開口部１１ｄから外部に露出される。また、面ファスナ１２を係止状態とすることにより、出入口部１１ｂがその左右方向中央部を除いてほぼ全体的に閉じられて、輸液パックＹＰの下端面から下方へ突出する接続部５２（輸液の取出し部）が本体部１１の下方へ突出された状態とされる。なお、断熱パックＤＰに輸液パックＹＰを収納した状態において、上下方向に長く形成された透明シート部２を通して、輸液パックＹＰの上端部付近から下端位置付近までを外部から目視できるようになっている。
【００２６】
上記のようにして断熱パックＤＰ内に収納された輸液パックＹＰは、図２中一点鎖線で簡略化して示す吊り下げ具Ｇに対して吊り下げられる。また、その接続部５２が、図示を略すチューブ等を介して患者の体内と接続される。輸液の温が低いと、患者の体温が低下して、患者の体力を大きく奪うことになる（患者の負担増大）。しかしながら、輸液パックＹＰを断熱パックＤＰ内に収納しておくことにより、長時間の使用であっても輸液の温度低下が抑制されて、患者の負担が軽減されることになる。
【００２７】
輸液パックＹＰから患者へ輸液を供給している途中の適宜のタイミングにおいて、輸液パックＹＰ内の輸液の残量を確認することが行われる。この確認の際、看護師等の医療関係者は、断熱パックＤＰの外部から、透明シート部２を通して輸液の残量を容易かつ確実に目視によって確認することができる。図２において、輸液パックＹＰ内の輸液の液面が符号αで示され、この液面αが透明シート部２を通して外部から目視可能となっている。
【００２８】
外部から透明シート部２を通して輸液の残量を目視にて確認できることから、輸液パックＹＰは、その使用中の全時間について、断熱パックＤＰ内に収納されたままの状態を維持することができ、輸液パックＹＰ内の輸液の温度低下抑制をより効果的に行うことができる。
【００２９】
ちなみに、透明シート部２が存在しない場合は、輸液の残量確認のためには、断熱パックＤＰから輸液パックＹＰを少なからず外部へ露出させた状態でもって行う必要がある。このことは、確認の手間がかかるばかりでなく、輸液パックＹＰが部分的にでも外部へ露出されてしまうことから、その温度低下が促進されてしまうことになる。
【００３０】
次に、透明シート部２について、図５、図６を参照しつつ説明する。透明シート部２は、内側の透明シート２１と外側の透明シート２２とを有する内外二重構造とされている。両シート２１と２２との間には、所定厚さ（例えば３ｍｍ〜５ｍｍ）の隙間を有するようにしてその全外周縁部同士が密着状態（シールされた状態）で接合されている。そして、両シート２１と２２との間の空間は、空気が充填された空気層２３とされている（空気層２３の圧力は大気圧と同じかやや大に設定）。空気は、断熱性が極めて高いことから、透明シート部２の断熱性は極めて高いものとなる。なお、両シート２１と２２との間の厚さは、１ｍｍ以上２０ｍｍ以下であることが好ましい。両シート２１と２２との間がこの範囲内であることで、空気層２３中では空気の対流が生じにくくなり、高い断熱性を得ることができる。
【００３１】
透明シート２１と２２とは、透明な材質のシート材であれば適宜のものを利用でき、例えば厚さ０．３ｍｍ程度の合成樹脂（実施形態ではＰＶＣ−ポリ塩化ビニール）によって形成することができる。そして、空気層２３を密閉構造とするために、透明シート２１と２２との全外周縁部同士を融着（加熱による接着）するようにしてある。なお、透明シート２１と２２との接合は、融着に限らず、接着材を用いた接合とすることもできる。
【００３２】
次に、断熱性シート１について、図７、図８を参照しつつ説明する。断熱性シート１は、図７に示すように、内側シート１５と外側シート１６とを有して、両シート１５と１６との空間が断熱層１７とされている。断熱層１７は、断熱性シート１のほぼ全面積範囲に渡って存在されて、その内部には充填材として所定厚さ（例えば厚さ３〜８ｍｍで、実施形態では５ｍｍ厚）の発泡材１８が充填されている。発泡剤１８を充填しておくことにより、断熱性シート１が部分的に潰れ変形してしまう事態が防止される。
【００３３】
前記内外の各シート１５と１６とは、例えばＰＶＣによって形成することができる。そして、実施形態では、断熱パックＤＰの見栄え向上と断熱性向上とを兼ねて、外側シート１６の外面側にアルミ蒸着を施してある。
【００３４】
断熱層１７に充填される発泡材１８は、可撓性（軟質）の適宜の材質のものを選択でき、特に断熱性向上の観点から独立気泡のものを用いるのが好ましい。また、断熱性向上のために、ポリオレフィン系の発泡材を利用するのが好ましい。
【００３５】
図９に示すように、断熱性シート１のうち、断熱パックＤＰの表側となる部分には、透明シート部２に対応した位置において開口部１９が形成されている。そして、この開口部１９の内周縁部に対して、透明シート部２の外周縁部が接合される（図９では、断熱性シート１と透明シート部２とを明確に区別するために、接合部位がわずかに離間した状態として示してある）。この接合は、密着状態（シール状態）となるように溶着あるいは接着材を用いて接着されている。なお、上記接合を縫合により行うこともできるが、接合部位のシールのために、融着あるいは接着材による接着が好ましいものである。
【００３６】
断熱パックＤＰは、実施形態では、所定形状に裁断された１枚の断熱性シート１を折り返して（折り返し部に閉塞部１１ａが存在する）、その側縁部を接合することにより筒状の本体部１１を構成するようにしてある。上記側縁部同士の接合部位が、図８に示される。この接合部位は、断熱パックＤＰにおける表側の内外のシート１５、１６と裏側の内外のシート１５、１６との４枚重ねで行うようにしてある。そして、接合は、融着や接着材を用いた接着あるいは縫合によって行うことができる。上記接合部位においては、発泡材１８が存在しないか、あるいは発泡材１８を圧接により極めて薄くした状態でもって行うことができる。なお、この接合部位も、シール性確保（つまり断熱性向上）の観点から、シールされた状態の接合とするのが好ましいものである。
【００３７】
図１０は、本発明の変形例を示すもので、断熱パックＤＰ２を、蓋付きの箱状容器として構成してある。すなわち、断熱パックＤＰ２は、大別して、本体容器部６１と蓋部６２とから構成されている。本体容器部６１は、底面（底壁）と前後左右の４つの側面（側壁）とを有して、上方が物品の出し入れ用となる開口部６１ａとされている。そして、蓋部６２は、その一辺が本体容器部６１の一側面の上部に一体化されて、揺動によって開口部６１ａを開閉するようになっている。
【００３８】
本体容器部６１、蓋部６２は、断熱性シート１Ｂによって構成されている。この断熱性シート１Ｂは、前述した断熱パックＤＰを構成する断熱性シート１と同じものとされている。
【００３９】
蓋部６２には、開口部６２ａが形成され、この開口部６２ａが透明シート部２Ｂによって閉塞されている。透明シート部２Ｂは、前述した断熱パックＤＰを構成する透明シート部２と同じものとされている。
【００４０】
本体容器部６１内に、冷却あるいは加温された缶類やビン類等を収納することができる。蓋部６２が閉じられている状態で、本体容器部６１内に収納されている物品の数や種類、状態等の確認は、透明シート部２Ｂを通して外部から目視によって容易に行うことができる。これにより、収納されている物品の数や種類の確認のために、蓋部６２を一々開かなくてもすみ、これにより収納されている物品の保温性が向上される（温度変化の抑制）。
【００４１】
ここで、輸液パックＹＰ用とされた断熱パックＤＰの断熱効果についての試験例について説明する。試験は、次のように行った。まず、輸液パックＹＰとして、２０００ｍｌの生理食塩水を収納したもの（厚さ８０〜１３０μｍの扶桑薬品工業株式会社製）を用意し、あらかじめ加温機によって全体的に４０．０℃となるように加温した。断熱パックＤＰは、その透明シート部２が図５、図６のように構成されて内部に空気層２３を有するものとした。輸液パックＹＰを図２に示すように断熱パックＤＰ内に収納して、点滴を行う場合と同様に吊り下げ具Ｇによって所定高さ位置で吊り下げた。室温は２２℃に維持した。放射温度計（レーザポイント付き）により、輸液パックＹＰの下面温度（接続部５２の温度）と、透明シート部２の中央位置の温度とを計測した。比較のために、上記と同様の輸液パックＹＰを断熱パックＤＰに収納しない状態において、その下面温度を計測した。なお、本試験例では、衛生上の観点から、輸液パックＹＰの表面温度をもって内容物である輸液の温度とみなした。
【００４２】
試験結果が、図１１に示される。図１１から理解されるように、輸液パックＹＰの温度は、断熱パックＤＰに収納しない状態（比較例）では、３時間経過した時点で、３９．１℃から２８．４℃に低下して、温度低下は約１１℃と大きいものである。
【００４３】
これに対して、断熱パックＤＰ内に収納した輸液パックＹＰにおいては、当初３８．８℃であってものが、３時間経過した時点では３３．０℃であり、温度低下は５．８度と比較例に比して極めて小さいものとなる。また、透明シート部２においては、当初は２９．０℃であったものが、３時間経過した時点でも２８．４度Ｃという極めて高い温度を維持しており、透明シート部２の断熱効果が極めて高いことが理解される。なお、透明シート部２の温度が、１時間経過時点で一旦低下して、１時間半後には温度上昇しているが、これは、輸液パックＹＰが、吊り下げ具Ｇによって吊り下げられていることから若干揺動して、透明シート部２が温度の高い輸液パックＹＰに対して接近した状態と離間した状態とが生じているための現象と理解される。
【００４４】
図１２は、温度変化を抑制するための保温箱について、その開封頻度を変更したときに、内部に収納された内容物の温度がどのように変化するかを示す実験結果を示すものである。実験に用いた保温箱は、発泡スチロール製により直方体形状に形成された蓋付きのものを用い、その外寸は、４５４×４５４×２２５ｍｍであり、内寸は４０４×４０４×１８５ｍｍである。内容物としては、水を満杯にした５００ｍｌ用のペットボトルとした。
【００４５】
実験は、保温箱が置かれる室内の温度が２６．０℃、ペットボトルおよびその内部の水の温度を１０．０℃とした状態で、ペットボトルを上記保温箱入れて蓋をした状態とする。そして、第１の実験では、１２０分の計測時間の間に、１０分経過する毎に２０秒だけ保温箱の蓋を開封し、開封の度にペットボトル内の水の温度を温度計によって測定する、ということを繰り返し行った。第２の実験では、１０分経過する毎に５０秒だけ保温箱の蓋を開封することとし、それ以外は第１の実験の場合と同じ条件とした。
【００４６】
実験結果を示す図１２おいて、実験開始から１２０分経過した時点で、ペットボトル内の水の温度が、実験１（２０秒開封）の場合は１６．７℃まで温度上昇しているのに対して、実験２（５０秒開封）場合は１７．９℃まで温度上昇しており、上昇温度として１．２℃程度の差が生じた。このことから理解されるように、保温箱を開封する時間が短いほど、温度変化の抑制効果が高いことになる。つまり、図１０に示すように、断熱パックＤＰ２に透明シート部２Ｂを形成しておくことにより、その内部の状況を確認するために蓋部６２を開ける必要がないことから、この分、断熱パックＤＰ２内に収納される冷却された（あるいは加温された）飲食物や飲料物等の温度変化が効果的に抑制される、ということが理解される。
【００４７】
以上実施形態について説明したが、本発明は、実施形態に限定されるものではなく、特許請求の範囲の記載された範囲において適宜の変更が可能である。断熱パックの形状や大きさは、温度変化の抑制対象となる物品の種類等に応じて適宜選択できるものであり、温度変化抑制に用いるものであれば、その使用分野は問わないものである。例えば、断熱パックを細長いシート状として、その長手方向端部や幅方向端部に面ファスナ等の係止部を形成したものとして、使用に際しては、物品の周囲に巻回して、面ファスナによってこの巻回状態を維持させるようにする等、使用前の状態では物品を収納できない形状（構造）のものであってもよい。断熱性シートの断熱層１７内に充填される充填材としては、例えば発泡材によって格子状や梯子状の形状として、発泡材の周囲に大きな空間（容積）部位を有して、この大きな空間に空気を存在させたものとしてもよい（断熱パックの部分的な潰れ変形防止と、断熱層１７内に十分な量の空気を充填することが可能）。断熱層１７に充填材を充填しないで、空気のみを充填したものであってもよい。断熱性シートは、例えば肉厚の１枚のシート（例えば発泡シート）によって構成する等、その構造や構成材料等は特に問わないものである。透明シート部２は、２重構造でなく、空気層２３を有しない１枚のシート（この場合は断熱性確保の観点から肉厚にするのが好ましい）によって構成したものであってもよい。
【００４８】
断熱パックＤＰにおいて、係止部としては、面ファスナ１２に代えて、ジッパー、ホック、ボタン（とボタン孔）、テープ、易接着性樹脂等、適宜のものを利用して構成することができる。断熱パックの内面あるいは外面に、加温剤あるいは冷却剤を収納しておくポケットを設けておくこともできる。例えば、輸液パックＹＰの場合は、その外面あるいは内面に加温剤を収納するポケットを設けて、このポケットに加温剤（例えば４０〜０℃の温度を長い時間維持可能なもの）を収納しておくことにより、輸液パックＹＰの温度低下をより一層抑制することができる。断熱パックが温度上昇抑制用である場合は、ポケットに冷却剤を収納しておけばよい。断熱パックのうち透明シート部を設ける位置は適宜選択できるが、内部の液量を確認するような場合は、断熱パックの側面に上下方向に伸びるように形成するのが好ましく、内部に収納した物品の数や種類を確認する場合には断熱パックの上面に形成しておくのが好ましい。透明シート部の大きさ、形状、数は、適宜選択でき、例えば、図１０に示すような断熱パックＤＰ２の場合は、蓋部６２に例えば円形の透明シート部を複数個分散して設けるようにしてもよい。勿論、本発明の目的は、明記されたものに限らず、実質的に好ましいあるいは利点として表現されたものを提供することをも暗黙的に含むものである。
【産業上の利用可能性】
【００４９】
本発明は、温度変化を抑制する断熱パックとして好適である。
【符号の説明】
【００５０】
ＤＰ：断熱パック
ＤＰ２：断熱パック（図１０）
ＹＰ：輸液パック
α：輸液パック内の液面位置
Ｇ：吊り下げ具
１：断熱性シート
１Ｂ：断熱性シート（図１０）
２：透明シート部
２Ｂ：透明シート部（図１０）
１１：本体部
１２：面ファスナ（係止部）
１５：内側シート
１６：外側シート
１７：断熱層
１８：発泡材（充填材）
１９：開口部（透明シート部対応）
２１：透明シート（内側）
２２：透明シート（外側）
２３：空気層
５１：吊り下げ用係合部
５２：接続部
６１：本体部（図１０）
６１ａ：開口部
６２：蓋部（図１０）
６２ａ：開口部（透明シート部対応）
【図１】
2018039552.tif 000003
【図２】
2018039552.tif 000004
【図３】
2018039552.tif 000005
【図４】
2018039552.tif 000006
【図５】
2018039552.tif 000007
【図６】
2018039552.tif 000008
【図７】
2018039552.tif 000009
【図８】
2018039552.tif 000010
【図９】
2018039552.tif 000011
【図１０】
2018039552.tif 000012
【図１１】
2018039552.tif 000013
【図１２】
2018039552.tif 000014